(57)【要約】【課題】  複数の形状の変化が可能である携帯端末装置において、それぞれの形状の状態の変化に合わせて、複数のデバイスの中から形状に合ったデバイスの制御ができる。【解決手段】  携帯電話機１の状態が、「クローズ状態」であると判断された場合（ステップＳ２０５）、レシーバ９、第１のマイク１０、及び第２のマイク８を無効とする（ステップＳ２０６）。また、携帯電話機１が「ターンオーバ」状態であると判断された場合（ステップＳ２０７）、レシーバ９と第１のマイク１０とを有効なデバイスとし、第２のマイク８を無効とする（ステップＳ２０８）。携帯電話機１が「オープン状態」であると判断された場合（ステップＳ２１０）、第１のマイク１０を無効とし、レシーバ９と第２のマイク８とを有効なデバイスとする（ステップＳ２１１）。【選択図】  図９
2006287643.tif 000002
【特許請求の範囲】
【請求項１】
第１の筐体と、表示部を備える第２の筐体を接続機構により回動可能に接続し、前記第１の筐体と第２の筐体との状態が、前記表示部が内向きの状態で前記筐体同士が重なり合う第１の状態と、前記表示部が外向きの状態で前記筐体同士が重なり合う第２の状態と、前記第１の状態と第２の状態との中間の状態で前記表示部が露出する第３の状態に、選択的に設定可能な携帯端末装置であって、
前記第１の筐体に設けられた第１のマイクと、
前記第２の筐体に設けられた第２のマイクとスピーカと、
前記第１の筐体と前記第２の筐体との状態を検出する状態検出制御手段と、
前記状態検出制御手段によって検出された第１の筐体と第２の筐体との状態の変化に応じて、前記第１のマイクと前記第２のマイクと前記スピーカとの少なくとも１つのデバイスをそれぞれ有効又は無効に切り替える切替制御手段と
を具備することを特徴とする携帯端末装置。
【請求項２】
第１の筐体と、表示部を備える第２の筐体を接続機構により回動可能に接続し、前記第１の筐体と第２の筐体との状態が、前記表示部が内向きの状態で前記筐体同士が重なり合う第１の状態と、前記表示部が外向きの状態で前記筐体同士が重なり合う第２の状態と、前記第１の状態と第２の状態との中間の状態で前記表示部が露出する第３の状態に、選択的に設定可能な携帯端末装置であって、
前記第１の筐体または前記第２の筐体のいずれか又は双方に設けられた少なくとも３つのデバイスと、
前記第１の筐体と前記第２の筐体との状態を検出する状態検出制御手段と、
前記状態検出制御手段によって検出された第１の筐体と第２の筐体との状態の変化に応じて、前記３つのデバイスの少なくとも１つのデバイスをそれぞれ有効又は無効に切り替える切替制御手段と
を具備することを特徴とする携帯端末装置。
【請求項３】
第１の筐体と、表示部を備える第２の筐体を接続機構により回動可能に接続し、前記第１の筐体と第２の筐体との状態が、前記表示部が内向きの状態で前記筐体同士が重なり合う第１の状態と、前記表示部が外向きの状態で前記筐体同士が重なり合う第２の状態と、前記第１の状態と第２の状態との中間の状態で前記表示部が露出する第３の状態に、選択的に設定可能な携帯端末装置であって、
前記第１の筐体に設けられた第１のマイクと、
前記第２の筐体に設けられた複数のスピーカと、
前記第２の筐体に設けられた第２のマイクと、
前記第１の筐体と前記第２の筐体との状態を検出する状態検出制御手段と、
前記状態検出制御手段によって検出された第１の筐体と第２の筐体との状態の変化に応じて、前記３つのデバイスの少なくとも１つのデバイスをそれぞれ有効又は無効に切り替える切替制御手段と
を具備することを特徴とする携帯端末装置。
【請求項４】
前記第２の筐体には少なくとも１つのマイク及び１つのスピーカが設けられており、
前記状態検出制御手段は、
前記第２の状態を検出した場合、前記第２の筐体に設けられたマイク及びスピーカを有効とすることを特徴とする請求項１乃至３のいずれか１項に記載の携帯端末装置。
【発明の詳細な説明】
【技術分野】
【０００１】
本発明は、携帯端末装置に関する。
【背景技術】
【０００２】
現在、携帯電話機に代表される、通信端末の発展は著しく、従来は端末筐体の形状もストレートタイプや、２つに折り畳むことができる折り畳み型などの形状の携帯電話機が主流であった。そして、折り畳み型の携帯電話機の中でも、機能が多彩になってきており、携帯電話機の形状に応じて、必要となるデバイスと必要としないデバイスとが存在するため、それらをうまく切りかえることが要求されてきた。
【０００３】
そこで、例えば特許文献１に記載の発明においては、折り畳み型の携帯電話機において、携帯電話機が折り畳まれている状態か、それとも開いている状態かを判定して、２つのマイクを選択的に使用して音を出力させる旨の技術が開示されている。
【特許文献１】特開２００３−１４３２５２号公報（２頁乃至８頁、図４）
【発明の開示】
【発明が解決しようとする課題】
【０００４】
近年では、上記ストレートタイプ及び折り畳み型の２つの形状に加え、様々な形状の携帯電話機が商品化されつつある。その中には複数の形状の状態に変えることが可能な携帯電話機も多く普及している。そして、複数の形状の変化に合わせて複数のデバイスの中から有効になるものが選択されることが要求されている。
【０００５】
本発明は、上記要求を満たしたものであって、複数の形状の変化が可能である携帯端末装置において、それぞれの形状の変化に合わせて複数のデバイスの中から形状に合ったデバイスの制御ができる携帯端末装置を提供することを目的とする。
【課題を解決するための手段】
【０００６】
本発明の携帯端末装置は、第１の筐体と、表示部を備える第２の筐体を接続機構により回動可能に接続し、前記第１の筐体と第２の筐体との状態が、前記表示部が内向きの状態で前記筐体同士が重なり合う第１の状態と、前記表示部が外向きの状態で前記筐体同士が重なり合う第２の状態と、前記第１の状態と第２の状態との中間の状態で前記表示部が露出する第３の状態に、選択的に設定可能な携帯端末装置であって、前記第１の筐体に設けられた第１のマイクと、前記第２の筐体に設けられた第２のマイクとスピーカと、前記第１の筐体と前記第２の筐体との状態を検出する状態検出制御手段と、前記状態検出制御手段によって検出された第１の筐体と第２の筐体との状態の変化に応じて、前記第１のマイクと前記第２のマイクと前記スピーカとの少なくとも１つのデバイスをそれぞれ有効又は無効に切り替える切替制御手段とを具備することを特徴とする。
【発明の効果】
【０００７】
本発明によれば、複数の形状の変化が可能である携帯端末装置において、それぞれの形状の状態の変化に合わせて、複数のデバイスの中から形状に合ったデバイスの制御ができる。
【発明を実施するための最良の形態】
【０００８】
以下に、本発明の実施の形態を説明する。
【実施例１】
【０００９】
以下に、本発明を携帯電話機に適用した場合における第１の実施の形態を、図面を用いて説明する。図１乃至図５は本発明の携帯電話機の外観を示した図であり、また図６は本発明の携帯電話機のブロック図を示したものである。  
まず、本発明を適用した携帯電話機の構造を図１乃至図５を用いて説明する。図１は、本発明の携帯電話機１を約１８０度開いた時の外観図である。なお、図１のような状態を以下「オープン状態」といい、その角度は１８０度に限定されず、他の角度でも構わない。図１（Ａ）は正面から見た図、図１（Ｂ）は側面から見た図である。
【００１０】
次に、図２は図１の状態から上筐体部２を携帯電話機１の開閉方向の軸Ａと垂直関係にある軸Ｂを中心に９０度回転した時の図である。図２（Ａ）は正面から見た図、図２（Ｂ）は側面から見た図である。
【００１１】
次に、図３は図２の状態から上筐体部２を携帯電話機の開閉方向の軸Ａを中心に９０度回転した時の図である。図３（Ａ）は正面から見た図、図３（Ｂ）は側面から見た図である。
【００１２】
次に、図４は携帯電話機１を閉じた時の図である（以下「クローズ状態」という）。図４（Ａ）は正面から見た図、図４（Ｂ）は側面から見た図である。
【００１３】
次に、図５は図２の状態から上筐体部２を携帯電話機の開閉方向の軸Ｂを中心に９０度回転（つまり図１の状態から上筐体部２を軸Ｂを中心に１８０度回転）し、更にそこから軸Ａを中心に閉じた時の図である。図５（Ａ）は正面から見た図、図５（Ｂ）は側面から見た図である。以下、この図５の携帯電話機１の状態を「ターンオーバ状態」という。
【００１４】
携帯電話機１は上筐体部２と下筐体部４がヒンジ部３を介して接続されており、上筐体部２にはＬＣＤなどのディスプレイ５、受信した音声を発声するレシーバ９、集音するための第１のマイク（送話口）１０、携帯電話機１の状態を検知するためのセンサ１１ａ、１１ｃ、カメラ１６、及びＬＣＤなどのサブディスプレイ１５を有している。また、下筐体部４には、数字、文字、携帯電話機１の操作等を入力するための入力部６、更には携帯電話機１の操作を行うサイドキー７、集音するための第２のマイク（送話口）８、及び携帯電話機１の状態を検知するためのセンサ１１ｂ、１１ｄを有している。
【００１５】
また、前述のとおり、上筐体部２及び下筐体部４には、上筐体部２、下筐体部４の状態を検出するためのセンサ１１ａ〜１１ｄが設けられている。これらのセンサ１１ａ〜１１ｄは例えば磁気センサにより構成され、センサ同士が一定の距離内で接近した状態で検出信号を出力する。上記各センサ１１ａ〜１１ｄのうち、センサ１１ａと１１ｂとの対は、上筐体部２及び下筐体部４が重なり合っているか否かを検出する。つまり図８の表に示されるように、先に述べた「クローズ状態」又は「ターンオーバ状態」になっているか、或いは「オープン状態」になっているかを判定するために使用される。また、センサ１１ｃと１１ｄとの対は、「クローズ状態」であるか或いは「ターンオーバ状態」であるかを判定するために使用される。
【００１６】
図６は、携帯電話機１の構成を簡潔に示したブロック図である。携帯電話機１の内部には、携帯電話機１全体の制御を行う制御部１０１と、ＲＡＭなどで構成される記憶部１１５と、ディスプレイ５を表示制御する第１表示制御部１０５・サブディスプレイ１５を表示制御する第２表示制御部１１３と、キー６及びサイドキー７の押下を認識する入力部１０６と、アンテナ１１７を用いて無線通信制御を行う通信部１１６とを備えており、制御部１０１によって全体が制御されている。また、マイク１１０は第１のマイク１１０に、マイク１０８は第２のマイク８にそれぞれ対応し、マイク１０９はレシーバ９に対応する。
【００１７】
記憶部１１５は、制御部１０１が実行するプログラム、各種の情報データなどが保存されている。
【００１８】
第１表示制御部１０５・第２表示制御部１１３は、それぞれディスプレイ５及びサブディスプレイ１５を表示制御するものであり、制御部１０１から出力命令される表示データを表示制御する。
【００１９】
通信部１１６は、制御部１０１によって命令された情報を、無線通信によって送信したり、メールサーバより無線通信によって送られた情報を受信したりする機能を有する。また、電話機能による通話の際も、通信部１１６を通じて通話が行われる。
【００２０】
入力部１０６は、キー６及びサイドキー７の押下を認識するものであって、数字キーや文字キー、メール編集の決定・中止などのファンクションキーを含む複数のキーの押下を
それぞれ認識することができ、利用者が入力操作したキー６の入力に応じて、キーを識別する識別信号を制御部１０１へ通知し、制御部１０１がその動作を開始する。
【００２１】
図７は、本発明のディスプレイ５の表示例、およびキー６の配置の一例を示した図であり、図７（Ａ）はディスプレイ５の表示例、図７（Ｂ）はキー６の配置の一例である。図７（Ａ）に示されるように、携帯電話機１のディスプレイ５には、一番上の行（以下上ピクト行とする）には、現在のアンテナ１１７の感度のレベルを示したアンテナピクト５１と、携帯電話機１の現在の電池残量を示した電池ピクト５２と、現在の時刻を表示する時刻表示５３とが表示されている。さらに、携帯電話機１のディスプレイ５の一番下の行（以下下ピクト行とする）には、現在表示されている機能において、ソフトキー左６４・ソフトキー中６５・ソフトキー右６６を押下すると実行される機能の簡単な説明が、それぞれソフトキー左６４については左下ピクト５４、ソフトキー中６５については中下ピクト５５、ソフトキー右６６については右下ピクト５６になされている。たとえば、図７（Ａ）のような表示がなされている場合、ソフトキー左６４を押下すると、「戻る」という機能が実行され、ソフトキー中６５を押下すると、図示していないが、現在フォーカスが当たっている機能を選択することができる。また、ソフトキー右６６を押下すると、「サブメニュー」が表示される。なお、ソフトキー中６５の操作は十字キー６７の真ん中にある決定キーにおいても行うことができる。
【００２２】
図７（Ｂ）に示されるように、下筐体部４には、キー６として、数字キー６１、「＊」キー６２、「＃」キー６３、ソフトキー左６４、ソフトキー中６５、ソフトキー右６６、十字キー６７、メールキー６８、ブラウザキー６９、通話キー７０、電源キー７１、及びクリアキー７２を有する。数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。また、「＊」キー６２には、「＊」が割り当てられており、更に文字入力状態において記号一覧、絵文字一覧、等を呼び出すことができる。また、「＃」キー６３には、「＃」が割り当てられており、更に文字入力状態において、数字キー６１による文字入力のトグルを逆にすることができる。
【００２３】
十字キー６７は、当てられたカーソルを上下左右方向に移動することができることに加え、真ん中にある部分（以下決定キーと呼ぶ）を押下すると、さまざまな機能を確定することができる。また、メールキー６８はメールの送受信機能を呼び出すことができる。また、ブラウザキーは、Ｗｅｂなどに接続することができる。
【００２４】
通話キー７０は、電話を受ける際や、発信する際に用いるためのキーであり、電源キー７１は、電源のＯＮ・ＯＦＦ、終話の際、及び機能、編集を終了する際に用いる。更に、クリアキー７２は、機能・編集をクリアする際、及び文字入力の際に文字を消去する際に用いる。また、クリアキー７２は待ち受け画面において押下すると、メモ帳を呼び出すことができる。
【００２５】
次に、携帯電話機１において、着信が発生して通話を開始した場合、あるいは発呼動作を開始した場合における、レシーバ９、第１のマイク１０、及び第２のマイク８の制御方法について、図９のフローチャートを用いて説明する。
【００２６】
まず、携帯電話機１の電源がＯＮされている状態で（ステップＳ２０１）、通話又は発呼動作が開始されたか否かを判断する（ステップＳ２０２）。なお、ステップ２０２でいう通話が開始されたとは、他より携帯電話機１に着信があり、ユーザによって、電話に出る操作（具体的には通話キー７０の押下）がなされ、それを制御部１が認識した場合を指し、発呼動作が開始されたとは、キー６の操作によって発呼動作がなされた場合を指す。
【００２７】
そして、通話又は発呼動作が開始されていない場合は再びステップＳ２０２を繰り返す。
【００２８】
次に、通話が開始されたと判断された場合（ステップＳ２０２の「Ｙｅｓ」）、センサ１１ａとセンサ１１ｂが接触している状態を制御部１が検出したか否か、つまり、センサ同士が一定の距離内で接近した状態であって、検出信号が出力され、その検出信号を制御部１が認識したか否かを判断する（ステップ２０３）。そこで、センサ１１ａとセンサ１１ｂが接触している状態の信号を制御部１が検出しなかった場合は、「オープン状態」であると判断する（ステップＳ２０３の「非接触」方向、ステップＳ２１０）。
【００２９】
一方、センサ１１ａとセンサ１１ｂが接触している状態を制御部１が検出した場合は（ステップＳ２０３の「接触」方向）、次にセンサ１１ｃとセンサ１１ｄが接触している状態を検出したか否か、つまり、センサ同士が一定の距離内で接近した状態であって、検出信号が出力され、その検出信号を制御部１が認識したか否かを判断する（ステップ２０４）。そこで、センサ１１ｃとセンサ１１ｄが接触している状態を制御部１が検出していなかった場合は、「クローズ状態」であると判断する（ステップＳ２０４の「非接触」方向、ステップＳ２０５）。そして、「クローズ状態」であると判断された場合（ステップＳ２０５）、レシーバ９、第１のマイク１０、及び第２のマイク８を無効とする（ステップＳ２０６）。つまり、クローズ状態を検出した場合は、通話を終了したとみなし、終話状態にする。なお、ステップＳ２０６において、終話状態にすることに限定することなく、クローズ状態でも保留状態にする、または、図示しないＢｌｕｅｔｏｏｔｈ（登録商標）や、図示しないイヤホンを接続していることを条件に保留状態にしても良い。
【００３０】
また、ステップＳ２０４において、センサ１１ｃとセンサ１１ｄが接触している状態を制御部１が検出した場合は（ステップＳ２０４の「接触」方向）、携帯電話機１が「ターンオーバ」状態であると判断し（ステップＳ２０７）、レシーバ９と第１のマイク１０とを有効なデバイスとし、第２のマイク８を無効とする（ステップＳ２０８）。なお、「ターンオーバ状態」において、ディスプレイ５に表示される表示の向きは図１３（Ａ）に示すようにレシーバ９側を上とする表示に設計することが望ましい。
【００３１】
その後、通話が終了したか否か、つまり終話キー７１が押下されたか否かを判断し（ステップＳ２０９）、通話が終了と判断された場合は、終話し、そうでない場合は、再びステップＳ２０３に戻る。
【００３２】
一方、ステップＳ２０３において、センサ１１ａとセンサ１１ｂとの接触関係が「非接触」と判断され、携帯電話機１が「オープン状態」であると判断された場合（ステップＳ２１０）、第１のマイク１０を無効とし、レシーバ９と第２のマイク８とを有効なデバイスとする（ステップＳ２１１）。その後、通話が終了したか否か、つまり終話キー７１が押下されたか否かを判断し（ステップＳ２１２）、通話が終了と判断された場合は、終話し、そうでない場合は、再びステップＳ２０３に戻る。
【００３３】
なお、以上の実施例においては、通話開始であると判断された場合に、その後の携帯電話機１の状態に応じて、有効とするデバイス、無効とするデバイスを決定し、「オープン
状態」「ターンオーバ状態」の双方においてそのまま通話を行うことができるようにしてい
る。しかし、これに限定されることなく、通話開始前においても、図９のステップＳ２０３以降を実行して、携帯電話機１の状態に応じて有効とするデバイスを決定してもよい。
【実施例２】
【００３４】
以下に、本発明を携帯電話機に適用した場合における第２の実施の形態を、図面を用いて説明する。図１０は第２の実施の形態における携帯電話機１のブロック図であり、図１１は、携帯電話機１を開いたとき、つまり「オープン状態」における概観図である。実施例１と同様の構成である箇所は実施例１の図面に記載された番号を同じ番号を付している。
【００３５】
実施例２の携帯電話機の構成において実施例１と異なる箇所は、図１１に示すように、レシーバ９、第１のマイク１０、及び第２のマイク８に代えて、第１のレシーバ１３ａ、第２のレシーバ１２、第１のマイク１３ｂ、第２のマイク８を設けた点が異なる。それに伴い、携帯電話機のブロック図においては、第１のマイク１３ｂはマイク１１０、第２のマイク８はマイク１０８、第１のレシーバ１３ａはレシーバ１０９ａに、第２のレシーバ１２はレシーバ１０９ｂに対応する。
【００３６】
次に、携帯電話機１において、着信が発生して通話を開始した場合、あるいは発呼動作を開始した場合における、第１のレシーバ１３ａ、第２のレシーバ１２、第１のマイク１３ｂ、及び第２のマイク８の制御方法について、図１１のフローチャートを用いて説明する。
【００３７】
まず、携帯電話機１の電源がＯＮされている状態で（ステップＳ３０１）、通話又は発呼動作が開始されたか否かを判断する（ステップＳ３０２）。そして、通話又は発呼動作が開始されていない場合は再びステップＳ３０２を繰り返す。
【００３８】
次に、通話が開始されたと判断された場合（ステップＳ３０２の「Ｙｅｓ」）、センサ１１ａとセンサ１１ｂが接触している状態を制御部１が検出したか否か、つまり、センサ同士が一定の距離内で接近した状態であって、検出信号が出力され、その検出信号を制御部１が認識したか否かを判断する（ステップ３０３）。そこで、センサ１１ａとセンサ１１ｂが接触している状態の信号を制御部１が検出しなかった場合は、「オープン状態」であると判断する（ステップＳ３０３の「非接触」方向、ステップＳ３１０）。
【００３９】
一方、センサ１１ａとセンサ１１ｂが接触している状態を制御部１が検出した場合は（ステップＳ３０３の「接触」方向）、次にセンサ１１ｃとセンサ１１ｄが接触している状態を検出したか否か、つまり、センサ同士が一定の距離内で接近した状態であって、検出信号が出力され、その検出信号を制御部１が認識したか否かを判断する（ステップ３０４）。そこで、センサ１１ｃとセンサ１１ｄが接触している状態を制御部１が検出していなかった場合は、「クローズ状態」であると判断する（ステップＳ３０４の「非接触」方向、ステップＳ３０５）。そして、「クローズ状態」であると判断された場合（ステップＳ３０５）、第１のレシーバ１３ａ、第２のレシーバ１２、第１のマイク１３ｂ、及び第２のマイク８を無効とする（ステップＳ３０６）。つまり、クローズ状態を検出した場合は、通話を終了したとみなし、終話状態にする。
【００４０】
また、ステップＳ３０４において、センサ１１ｃとセンサ１１ｄが接触している状態を制御部１が検出した場合は（ステップＳ３０４の「接触」方向）、携帯電話機１が「ターンオーバ」状態であると判断し（ステップＳ３０７）、第２のレシーバ１２と第１のマイクとを有効なデバイスとし、第１のレシーバ１３ａと第２のマイク８を無効とする（ステップＳ３０８）。なお、「ターンオーバ状態」において、ディスプレイ５に表示される表示の向きは図１３（Ｂ）に示すように第２のレシーバ１２側を上とする表示に設計することが望ましい。
【００４１】
その後、通話が終了したか否か、つまり終話キー７１が押下されたか否かを判断し（ステップＳ３０９）、通話が終了と判断された場合は、終話し、そうでない場合は、再びステップＳ３０３に戻る。
【００４２】
一方、ステップＳ３０３において、センサ１１ａとセンサ１１ｂとの接触関係が「非接触」と判断され、携帯電話機１が「オープン状態」であると判断された場合（ステップＳ３１０）、第１のレシーバ１３ａと第２のマイク８とを有効なデバイスとし、第２のレシーバ１２と第１のマイク１３ｂを無効とする（ステップＳ３１１）。その後、通話が終了したか否か、つまり終話キー７１が押下されたか否かを判断し（ステップＳ３１２）、通話が終了と判断された場合は、終話し、そうでない場合は、再びステップＳ３０３に戻る。
【００４３】
以上のように、本発明の実施例２によれば、通話開始であると判断された場合に、その後の携帯電話機１の状態に応じて、有効とするデバイス、無効とするデバイスを決定し、「オープン状態」「ターンオーバ状態」の双方においてそのまま通話を行うことができるようにしている。また、実施例１では、ターンオーバ状態においても通話を行う場合は上下を反転させて通話を行う必要もあったが、実施例２においてはそのような配慮が必要ない。
【００４４】
また、第１のレシーバ１３ａと第１のマイク１３ｂとを非常に接近した位置に配置したものの、状態に応じて有効あるいは無効と選択されるため、双方が同時に有効とされる場合もなく、ハウリングを起こす可能性も極めて少ないという作用効果を有する。
【００４５】
本発明によれば、複数の形状の変化が可能である携帯端末において、それぞれの形状の状態の変化に合わせて、複数のデバイスの中から形状に合ったデバイスの制御ができる。
【図面の簡単な説明】
【００４６】
【図１】実施例１における携帯電話機１を１８０度開いたときの構造を示した図。
【図２】実施例１における携帯電話機１の上筐体部２を９０度回転したときの構造を示した図。
【図３】実施例１における携帯電話機１の上筐体部２を図２の状態より更に９０度回転したときの構造を示した図。
【図４】実施例１における携帯電話機１を閉じたときの構造を示した図。
【図５】実施例１における携帯電話機１を図３の状態より閉じたときの構造を示した図。
【図６】実施例１における携帯電話機１の構成を簡潔に示したブロック図。
【図７】携帯電話機１のディスプレイ５及び下筐体部４のキー６の配置の一例を示した図。
【図８】携帯電話機１のセンサ１１ａ〜１１ｄにおける検知の結果と、携帯電話機１の状態の変化とを対比した図。
【図９】実施例１における、携帯電話機１が通話を開始した後、状態の変化に応じて有効となるデバイスを決定するフローチャート。
【図１０】実施例２における、携帯電話機１の構成を簡潔に示したブロック図。
【図１１】実施例２における、携帯電話機１を１８０度開いたときの構造を示した図。
【図１２】実施例２における、携帯電話機１が通話を開始した後、状態の変化に応じて有効となるデバイスを決定するフローチャート。
【図１３】実施例１乃至２における、携帯電話機１が「ターンオーバ状態」においてのディスプレイ５に表示される画面の向きを示した図。
【符号の説明】
【００４７】
１  携帯電話機
２  上筐体部
３  ヒンジ部
４  下筐体部
５  ディスプレイ
６  キー
７  サイドキー
８  第２のマイク
９  レシーバ（受話口）
１０  第１のマイク
１１ａ、１１ｂ、１１ｃ、１１ｄ  センサ
１２  第２のレシーバ
１３ａ  第１のレシーバ
１３ｂ  第１のマイク
１４  第２のマイク
１５  サブディスプレイ
１６  カメラ
５１  アンテナピクト
５２  電池ピクト
５３  時刻表示
５４  左下ピクト
５５  中下ピクト
５６  右下ピクト
６１  数字キー
６２  「＊」キー
６３  「＃」キー
６４  ソフトキー左
６５  ソフトキー中
６６  ソフトキー右
６７  十字キー
６８  メールキー
６９  ブラウザキー
７０  通話キー
７１  電源キー
７２  クリアキー
１０１  制御部
１０５  第１表示制御部
１０６  入力部
１０８  第２のマイク
１０９  レシーバ
１０９ａ  第１のレシーバ
１０９ｂ  第２のレシーバ
１１０  第１のマイク
１１２  カメラ
１１３  第２表示制御部
１１５  記憶部
１１６  通信部
１１７  アンテナ
【図１】
2006287643.tif 000003
【図２】
2006287643.tif 000004
【図３】
2006287643.tif 000005
【図４】
2006287643.tif 000006
【図５】
2006287643.tif 000007
【図６】
2006287643.tif 000008
【図７】
2006287643.tif 000009
【図８】
2006287643.tif 000010
【図９】
2006287643.tif 000011
【図１０】
2006287643.tif 000012
【図１１】
2006287643.tif 000013
【図１２】
2006287643.tif 000014
【図１３】
2006287643.tif 000015